(57)【要約】【課題】鉄骨造躯体に複数枚の外壁パネルを取り付ける際に邪魔になりにくく、外壁パネルを躯体に近接させて取り付ける外壁構造にも適用可能な足場の壁つなぎ連結金具と、その壁つなぎ連結金具を利用した足場支持構造を提供する。【解決手段】鉄骨造躯体を構成する鉄骨梁３０のウェブに、外壁パネル１０の縦目地に合わせて直立補剛板３６が結合される。壁つなぎ連結金具４０は、軸着部材５０を介して互いに回動自在に連結された躯体側取付板６０と可動連結板７０とを具備し、躯体側取付板６０が直立補剛板３６に添設されて鉄骨梁３０と外壁パネル１０との間に配置され、可動連結板７０が軸着部材５０を支軸として上下方向に回動し、横向き状態では先端部が外壁パネル１０の縦目地から屋外側へ突出し、その先端部に突設された壁つなぎ連結ボルト７２にナット部材８０を介して壁つなぎ本体９０が着脱自在に連結される。【選択図】  図９
2018096102.tif 000002
【特許請求の範囲】
【請求項１】
鉄骨造躯体に複数枚の外壁パネルを取り付けることによって外壁が形成される建物において、前記鉄骨造躯体を構成する鉄骨梁の側面に足場を連結するための壁つなぎ連結金具であって、
軸着部材を介して互いに回動自在に連結された躯体側取付板と可動連結板とを具備し、
前記躯体側取付板には、該躯体側取付板を前記鉄骨梁のウェブに結合された直立補剛板にボルト・ナットで添設するための綴着孔が形成される一方、
前記可動連結板の先端部には、壁つなぎ連結ボルトが、その軸心を前記可動連結板の板厚中心と一致させるようにして、前記軸着部材から離隔する向きに突設され、
前記壁つなぎ連結ボルトに、適宜の壁つなぎ本体を連結可能なナット部材が着脱自在に連結された
ことを特徴とする壁つなぎ連結金具。
【請求項２】
請求項１に記載された壁つなぎ連結金具において、
前記壁つなぎ連結ボルトは、前記可動連結板の先端部に形成された長矩形の切欠き部内に溶接されている
ことを特徴とする壁つなぎ連結金具。
【請求項３】
請求項１または２に記載された壁つなぎ連結金具において、
前記躯体側取付板には、前記直立補剛板に添設された状態で前記直立補剛板の側縁部に係合する回り止め段部が形成されている
ことを特徴とする壁つなぎ連結金具。
【請求項４】
請求項１〜３のいずれか一項に記載された壁つなぎ連結金具において、
前記軸着部材は、前記躯体側取付板および前記可動連結板にそれぞれ形成された軸着孔に内挿されるスリーブと、該スリーブに内挿されて綴着されるボルト・ナットと、該スリーブの両端にそれぞれ外挿されて前記ボルト・ナットと前記躯体側取付板または前記可動連結板との接触面に介装される一対のばね座金と、によって構成されている
ことを特徴とする壁つなぎ連結金具。
【請求項５】
請求項１〜３のいずれか一項に記載された壁つなぎ連結金具において、
前記軸着部材は、前記躯体側取付板および前記可動連結板にそれぞれ形成された軸着孔に挿着されるリベットによって構成され、
該挿着状態におけるリベットの全長が、前記躯体側取付板と前記可動連結板とを重ね合わせた部分の厚さを超えないように形成されている
ことを特徴とする壁つなぎ連結金具。
【請求項６】
鉄骨造躯体に複数枚の外壁パネルを取り付けることによって外壁が形成される建物において、前記鉄骨造躯体を構成する鉄骨梁の側面に、壁つなぎ連結金具を介して足場を連結する足場支持構造であって、
前記鉄骨梁のウェブには、該鉄骨梁の材軸方向に直交する直立補剛板が、前記外壁パネルの縦目地の位置に合わせて結合され、
前記壁つなぎ連結金具は、軸着部材を介して互いに回動自在に連結された躯体側取付板と可動連結板とを具備し、
前記躯体側取付板には、該躯体側取付板を前記鉄骨梁のウェブに結合された直立補剛板にボルト・ナットで添設するための綴着孔が形成され、
前記躯体側取付板が、前記軸着部材の軸心を水平にした姿勢で前記直立補剛板に添設されて、前記鉄骨梁と前記外壁パネルとの間に配置され、
前記可動連結板が、前記軸着部材を支軸として上下方向に回動し、横向きの状態では該可動連結板の先端部が前記外壁パネルの縦目地から屋外側へ突出するように配置され、
前記可動連結板の先端部には、前記外壁パネルの縦目地の幅よりも細径の壁つなぎ連結ボルトが、その軸心を前記可動連結板の板厚中心と一致させるようにして前記軸着部材から離隔する向きに突設され、
前記壁つなぎ連結ボルトに、前記外壁パネルの屋外側からナット部材が着脱自在に連結され、
前記ナット部材に、足場支柱を支持し得る適宜の壁つなぎ本体が着脱自在に連結された
ことを特徴とする足場支持構造。
【請求項７】
請求項６に記載された足場支持構造において、
前記可動連結板は、前記壁つなぎ連結ボルトに前記ナット部材が連結されていない状態で下向きに回動したとき、鉄骨梁と外壁パネルとの間、または外壁パネルの縦目地内に収納される
ことを特徴とする足場支持構造。
【請求項８】
請求項６または７に記載された足場支持構造において、
前記躯体側取付板には、前記直立補剛板に添設された状態で前記直立補剛板の側縁部に係合する回り止め段部が形成されており、
前記躯体側取付板が、前記直立補剛板に一組のボルト・ナットによって添設される
ことを特徴とする足場支持構造。
【請求項９】
請求項６〜８のいずれか一項に記載された足場支持構造において、
前記軸着部材は、前記躯体側取付板および前記可動連結板にそれぞれ形成された軸着孔に内挿されるスリーブと、該スリーブに内挿されて綴着されるボルト・ナットと、該スリーブの両端にそれぞれ外挿されて前記ボルト・ナットと前記躯体側取付板または前記可動連結板との接触面に介装される一対のばね座金と、によって構成された、
ことを特徴とする足場支持構造。
【請求項１０】
請求項６〜８のいずれか一項に記載された足場支持構造において、
前記軸着部材は、前記躯体側取付板および前記可動連結板にそれぞれ形成された軸着孔に挿着されるリベットによって構成され、
該挿着状態におけるリベットの全長が、外壁パネルの縦目地の幅（前記躯体側取付板と前記可動連結板とを重ね合わせた部分の厚さ）を超えないように形成されて、
前記リベットが縦目地を挟んで隣接する外壁パネルの間に配置された
ことを特徴とする足場支持構造。
【発明の詳細な説明】
【技術分野】
【０００１】
本発明は、鉄骨造建物の建築工事や修繕補修工事に際して、該建物の躯体に外部足場を連結するための壁つなぎ連結金具と、その壁つなぎ連結金具を利用した足場支持構造に関する。
【背景技術】
【０００２】
本出願人は、特に鉄骨系の工業化住宅に好適なカーテンウォール方式の外壁構造を実用化し、長期間にわたって実施している。
【０００３】
図１〜図５は、本出願人が特許文献１等に開示している外壁構造の要部を示している。この外壁構造に採用される外壁パネル１０は、セメント系材料やセラミック系材料等を押出成形するなどして正面視略長方形状に加工したものである。外壁パネル１０の表面（屋外側の面）には天然石材や煉瓦等の質感を模した起伏模様が形成され、裏面（屋内側の面）は略平坦に形成されて、厚み方向における中間部分には上下方向に連通する複数箇所の中空孔１０１が形成されている。
【０００４】
この外壁パネル１０は、専用の係合金具２０を用いて、躯体を構成する鉄骨梁３０等（最下階にあっては基礎３１）に取り付けられる。係合金具２０は、鋼板をプレス加工するなどして形成された部材で、その中央には上下方向に延びる長孔２０１が形成され、上下いずれかの辺縁に側面視略Ｖ字形のフック部２０２が形成されている。この係合金具２０が、フック部２０２を外壁パネル１０の上縁または下縁に沿わせるようにして外壁パネル１０の裏面の四隅近傍にあてがわれる。そして、長孔２０１に屋内側から挿し込まれるボルト２１が、外壁パネル１０の裏面に形成された下孔１０２に挿通され、あらかじめ外壁パネル１０の中空孔１０１内に挿着されたバネ板片付きのナット金具２２に螺合される。
【０００５】
一方、鉄骨梁３０のフランジには、鋼板からなる持出しファスナー３２等を介して、係合金具２０を係着するためのレール部材３３が添接されている。レール部材３３は、少なくとも一辺縁にリップ部３３１を有する山形鋼やＣ形鋼等からなり、そのリップ部３３１を屋内側に向けて持出しファスナー３２に結合される。鉄骨梁３０の上フランジに取り付けられる持出しファスナー３２は、レール部材３３よりも屋外側に若干延び出して、外壁パネル１０の下縁を支持し得るようになっている。そして、クレーン等によって吊り上げられた外壁パネル１０がレール部材３３の外側面に沿って建て込まれ、係合金具２０のフック部２０２がレール部材３３のリップ部３３１に係着されて、屋内側からボルト２１が所定の締付トルクで締結される。このようにして鉄骨梁３０に直接、取り付けられた外壁パネル１０は、その四隅がレール部材３３に沿って水平方向に変位するとともに、係合金具２０に形成された長孔２０１の範囲内で上下方向に変位することで、地震等による躯体の層間変位にも好適に追従し得るものとなる。
【０００６】
また、図６は、本出願人が特許文献２に開示している外壁構造の要部を示している。この外壁構造では、躯体を構成する各階の鉄骨梁３０（最下階にあっては基礎３１）の間に、リップ付きＣ形鋼を矩形に結合した軸組フレーム３４が組み付けられている。そして、その軸組フレームの上枠及び下枠を構成するリップ付き溝形鋼３５に、前述と同様の係合金具２０を用いて屋内側からボルト２１を締結することにより外壁パネル１０が係着される。この外壁構造によれば、外壁パネル１０が、図１に示した外壁構造に比べて、鉄骨梁３０に近接した位置に取り付けられることとなる。
【０００７】
ところで、このような建物の建築工事に際しては、建物の外側に、建物を囲むようにして作業用の足場が設置される。その足場は、例えば門型の足場フレームや単管等をクランプ金具で連結するなどして組み上げられるが、倒壊や揺れを防ぐため、足場の一部が「壁つなぎ」（または「足場つなぎ」）と称される部材を介して建物に連結される。本出願人も、前述のような外壁構造を有する鉄骨造建物の建築工事に適した足場支持構造を、特許文献３に開示している。
【０００８】
該文献に開示された足場支持構造は、図７〜図８に示すように、躯体を構成する鉄骨梁３０の上フランジに取り付けられて外壁パネル１０の裏側（屋内側）に配置される屋内側取付部材９１と、屋内側取付部材９１に連結されて外壁パネル１０の横目地から屋外側に延び出す壁つなぎ部材９２と、壁つなぎ部材９２に連結されて足場支柱９４を支持する足場支持部材本体９３と、を組み合わせて構成される。
【０００９】
屋内側取付部材９１は、略矩形の取付プレート９１１と高ナット９１２（長ナット）とを一体化してなる部材である。高ナット９１２は、取付プレート９１１の先端側（屋外側）に形成された長矩形の切欠き内に、ねじ孔の軸を取付プレート９１１の長手方向に向けて溶接されている。取付プレート９１１の基端側（屋内側）には綴着孔９１３が形成され、この綴着孔９１３が鉄骨梁３０の上フランジに形成された取付孔３０１に重ねられて、ボルト・ナット３０２により綴着される。これにより、取付プレート９１１が、鉄骨梁３０の上フランジから水平な姿勢で屋外側に向けて張り出すように固定される。
【００１０】
壁つなぎ部材９２は、屋内側の端部に位置する雄ねじ部９２１と、長手方向中間部に位置する円筒部９２２と、屋外側の端部に位置する雌ねじ部９２３を有する部材であり、雄ねじ部９２１が、屋内側取付部材９１の高ナット９１２に離脱自在に螺合される。円筒部９２２は、外壁パネル１０の横目地の高さに納まる太さに形成され、その円筒部９２２を挟むようにして外壁パネル１０が建て込まれる。そして、円筒部９２２よりもさらに太径の雌ねじ部９２３が、外壁パネル１０の屋外側に突出した状態で保持される。
【００１１】
足場支持部材本体９３は、その屋内側の端部に雄ねじ部９３１を有し、この雄ねじ部９３１が壁つなぎ部材９２の雌ねじ部９２３に離脱自在に螺合される。足場支持部材本体９３の屋外側の端部には、開閉自在の固定アーム（足場クランプ）９３２が取り付けられており、この固定アーム９３２が足場支柱９４を把持する。こうして、足場が、建物の外壁パネル１０ではなく躯体から支持されることにより、足場の揺れが抑えられて安全性や作業性が向上するとともに、壁つなぎ部材９２等による外壁パネル１０の損傷も防ぐことができる。
【００１２】
足場を要する工事が終了したら、壁つなぎ部材９２が屋内側取付部材９１から取り外され、壁つなぎ部材９２および足場支持部材本体９３が足場とともに撤去されて、屋内側取付部材９１が建物側に取り残される。なお、経年後の修繕工事や増改築に際しては、屋外側から目地シール部材（図示せず）を取り除いて、目地の背後に残された屋内側取付部材９１に再度、壁つなぎ部材９２を連結することもできる。
【先行技術文献】
【特許文献】
【００１３】
【特許文献１】特開２００１−１０７４８８号公報
【特許文献２】特開２００２−１８０５８０号公報
【特許文献３】特開平１１−１０７５２１号公報
【発明の概要】
【発明が解決しようとする課題】
【００１４】
前記特許文献３に開示された足場を利用して外壁パネル１０の建て込み作業を行う際には、足場と建物との間にクレーンで外壁パネル１０を吊り下ろし、外壁パネル１０を所定の取付位置まで引き寄せて、外壁パネル１０の裏面に取り付けられたフレーム３６等を躯体に連結することとなる。しかしながら、前記した足場支持構造は、壁つなぎ部材９２が外壁パネル１０の横目地から突出するように構成されているので、外壁パネル１０を取付位置の真上から下ろして建て込もうとすると、外壁パネル１０と壁つなぎ部材９２とが干渉してしまう。したがって、外壁パネル１０を取付位置の側方から壁つなぎ部材９２の下方へ回り込ませるように移動させて位置決めするか、あるいは、壁つなぎ部材９２を屋内側取付部材９１から取り外した状態（足場が躯体に連結されていない状態）で外壁パネル１０を建て込んだ後、壁つなぎ部材９２を取り付ける、といった配慮が必要になり、施工性の面で改善の余地がある。
【００１５】
また、前記した足場支持構造は、鉄骨梁３０のフランジと外壁パネル１０との間に、屋内側取付部材９１の略半部を突出させるためのスペースを必要とするので、外壁パネル１０を躯体に近接させて取り付ける図６のような外壁構造には適用するのが難しい。
【００１６】
本発明は、かかる事情に鑑みてなされたもので、外壁パネルを所定の取付位置に建て込む際に、その作業の邪魔になりにくく、また、外壁パネルを躯体に近接させて取り付ける外壁構造にも適用可能な足場の壁つなぎ連結金具と、その壁つなぎ連結金具を利用した足場支持構造を提供することを目的としている。
【課題を解決するための手段】
【００１７】
前述の目的を達成するために本発明が採用した壁つなぎ連結金具の構成は、鉄骨造躯体に複数枚の外壁パネルを取り付けることによって外壁が形成される建物において、前記鉄骨造躯体を構成する鉄骨梁の側面に足場を連結するための壁つなぎ連結金具であって、軸着部材を介して互いに回動自在に連結された躯体側取付板と可動連結板とを具備し、前記躯体側取付板には、該躯体側取付板を前記鉄骨梁のウェブに結合された直立補剛板にボルト・ナットで添設するための綴着孔が形成される一方、前記可動連結板の先端部には、壁つなぎ連結ボルトが、その軸心を前記可動連結板の板厚中心と一致させるようにして、前記軸着部材から離隔する向きに突設され、前記壁つなぎ連結ボルトに、適宜の壁つなぎ本体を連結可能なナット部材が着脱自在に連結された、ものとして特徴づけられる。
【００１８】
また、前述の構成を具備する壁つなぎ連結金具を利用した足場支持構造の構成は、鉄骨造躯体に複数枚の外壁パネルを取り付けることによって外壁が形成される建物において、前記鉄骨造躯体を構成する鉄骨梁の側面に、壁つなぎ連結金具を介して足場を連結する足場支持構造であって、前記鉄骨梁のウェブには、該鉄骨梁の材軸方向に直交する直立補剛板が、前記外壁パネルの縦目地の位置に合わせて結合され、前記壁つなぎ連結金具は、軸着部材を介して互いに回動自在に連結された躯体側取付板と可動連結板とを具備し、前記躯体側取付板には、該躯体側取付板を前記鉄骨梁のウェブに結合された直立補剛板にボルト・ナットで添設するための綴着孔が形成され、前記躯体側取付板が、前記軸着部材の軸心を水平にした姿勢で前記直立補剛板に添設されて、前記鉄骨梁と前記外壁パネルとの間に配置され、前記可動連結板が、前記軸着部材を支軸として上下方向に回動し、横向きの状態では該可動連結板の先端部が前記外壁パネルの縦目地から屋外側へ突出するように配置され、前記可動連結板の先端部には、前記外壁パネルの縦目地の幅よりも細径の壁つなぎ連結ボルトが、その軸心を前記可動連結板の板厚中心と一致させるようにして前記軸着部材から離隔する向きに突設され、前記壁つなぎ連結ボルトに、前記外壁パネルの屋外側からナット部材が着脱自在に連結され、前記ナット部材に、足場支柱を支持し得る適宜の壁つなぎ本体が着脱自在に連結された、ものとして特徴づけられる。
【００１９】
これらの発明の要部を構成する壁つなぎ連結金具は、鉄骨梁のウェブの側面、つまり鉄骨梁の上下フランジの間に、外壁パネルの縦目地の位置に合わせて、縦目地の幅に納まるように取り付けることができる。したがって、外壁パネルを吊り下ろして所定の取付位置に建て込む際に、外壁パネルと壁つなぎ連結金具との干渉を避けて、外壁パネルを効率よく位置決めすることができる。
【００２０】
さらに、前記壁つなぎ連結ボルトが、前記可動連結板の先端部に形成された長矩形の切欠き部内に溶接されている、との構成を採用することにより、可動部分の全体的な厚みを増すことなく、可動連結板と壁つなぎ連結ボルトとを強固に結合することができる。
【００２１】
そして、前述の構成を採用することで、前記可動連結板が、前記壁つなぎ連結ボルトに前記ナット部材が連結されていない状態で下向きに回動したとき、鉄骨梁と外壁パネルとの間、または外壁パネルの縦目地内に収納される、という足場支持構造を実現することができる。この足場支持構造によれば、工事終了後の足場の撤去作業が容易になるとともに、経年後の修繕工事や増改築に際して、縦目地の間から可動連結板を引き出し、再度、足場を連結することができる。
【００２２】
また、本発明は、前記壁つなぎ連結金具に関して、前記躯体側取付板には、前記直立補剛板に添設された状態で前記直立補剛板の側縁部に係合する回り止め段部が形成されている、との構成を採用する。この構成によれば、躯体側取付板を、直立補剛板に一組のボルト・ナットだけで添設した場合でも、躯体側取付板の姿勢が確実に拘束され、躯体側取付板が可動連結板の回動に伴って揺動することが規制される。
【００２３】
また、本発明は、前記壁つなぎ連結金具に関して、前記軸着部材が、前記躯体側取付板および前記可動連結板にそれぞれ形成された軸着孔に内挿されるスリーブと、該スリーブに内挿されて綴着されるボルト・ナットと、該スリーブの両端にそれぞれ外挿されて前記ボルト・ナットと前記躯体側取付板または前記可動連結板との接触面に介装される一対のばね座金と、によって構成されたものとすることができる。この構成によれば、ボルト・ナットの締結トルクを適切に設定することで、可動連結板を横向きの状態に仮止めすることができるので、外壁パネルの屋外側から壁つなぎ連結ボルトにナット部材を着脱するなどの作業が容易になる。
【００２４】
また、本発明は、前記壁つなぎ連結金具に関して、前記軸着部材が、前記躯体側取付板および前記可動連結板にそれぞれ形成された軸着孔に挿着されるリベットによって構成され、該挿着状態におけるリベットの全長が、前記躯体側取付板と前記可動連結板とを重ね合わせた部分の厚さを超えないように形成されているものとすることができる。この構成によれば、縦目地を挟んで隣接する外壁パネルの間に前記リベットを配置することができるので、外壁パネルが鉄骨梁に近接して取り付けられる建物においても、本発明の足場支持構造を適用することが可能になる。
【発明の効果】
【００２５】
前述のように構成される本発明の壁つなぎ連結金具は、鉄骨造躯体を構成する鉄骨梁前記に、外壁パネルの縦目地の位置に合わせて、縦目地の幅に納まるように取り付けることができるように構成されている。したがって、この壁つなぎ連結金具を用いた足場支持構造によれば、外壁パネルを吊り下ろして所定の取付位置に建て込む際に、外壁パネルが壁つなぎ連結金具に干渉するのを避けながら、外壁パネルを効率よく位置決めすることができる。
【００２６】
また、本発明の壁つなぎ連結金具は、鉄骨梁のウェブに結合された直立補剛板に取り付けられるように構成されているので、この壁つなぎ連結金具を用いた足場支持構造によれば、鉄骨梁の側方への張り出し寸法を小さくすることができる。したがって、外壁パネルが躯体に近接して取り付けられる建物にも好適に採用することができる。
【００２７】
壁つなぎ連結金具を鉄骨梁に取り付ける作業は、鉄骨部材の加工工場で出荷前に行うことが可能であり、それによって取付精度が好適に担保される。あらかじめ鉄骨梁に壁つなぎ連結金具を取り付けて現場に搬入すれば、現場における高所作業の負担が軽減されて、安全性が向上し、工期の短縮も図られる。
【００２８】
さらに、本発明の壁つなぎ連結金具を外壁パネルの縦目地の位置に合わせて鉄骨梁に取り付けた足場支持構造によれば、前記ナット部材を連結していない状態の可動連結板を下向きに回動させて、鉄骨梁と外壁パネルとの間、または外壁パネルの縦目地内に収納することができる。これにより、工事終了後の足場の撤去作業が容易になるとともに、経年後の修繕工事や増改築に際して、縦目地の間から可動連結板を引き出し、再度、足場を連結するために利用することもできる。
【図面の簡単な説明】
【００２９】
【図１】特許文献１に開示された従来の外壁構造に用いられる外壁パネルの斜視図である。
【図２】同じく、従来の外壁構造の要部を示す縦断面図である。
【図３】同じく、従来の外壁構造の要部を示す横断面図である。
【図４】同じく、従来の外壁構造における外壁パネルの下端近傍の取付形態を示す斜視図である。
【図５】同じく、外壁パネルの上端近傍の取付形態を示す斜視図である。
【図６】特許文献１に開示された従来の外壁構造の要部を示す縦断面図である。
【図７】特許文献３に開示された従来の足場支持構造の要部を示す縦断面図である。
【図８】同じく、従来の足場支持構造の分解斜視図である。
【図９】本発明の第１実施形態に係る壁つなぎ連結金具と、それを利用した足場支持構造の要部を示す縦断面図である。
【図１０】同じく、分解斜視図である。
【図１１】前記壁つなぎ連結金具の分解状態および組立状態の上面図である。
【図１２】前記壁つなぎ連結金具の使用状態を示す斜視図である。
【図１３】本発明の第２実施形態に係る壁つなぎ連結金具と、それを利用した足場支持構造の要部を示す縦断面図である。
【図１４】同じく、分解斜視図である。
【図１５】前記壁つなぎ連結金具の組立状態の上面図である。
【発明を実施するための形態】
【００３０】
以下、本発明の実施形態について、図面を参照しつつ説明する。本発明の壁つなぎ連結金具と、それを利用する足場支持構造は、主として図１〜図６に示したような、鉄骨造躯体に複数枚の外壁パネルを取り付ける建物に適用することを想定したものである。以下、本発明が適用される建物の躯体、外壁パネル、足場等に関し、背景技術欄で説明したものと実質的に同等の部位・部材については前記と共通の符号を付して、それらの詳細な説明は省略する。
【００３１】
（第１実施形態）
図９〜図１２は、本発明の壁つなぎ連結金具と、それを利用した足場支持構造の第１実施形態を示す。壁つなぎ連結金具４０は、鉄骨造躯体を構成する鉄骨梁３０のウェブの側面に取り付けられる。そのため、鉄骨梁３０のウェブには、あらかじめ鉄骨梁３０の材軸方向に直交する直立補剛板３６が結合されている。図中に示す直立補剛板３６は、Ｈ形鋼からなる鉄骨梁３０を略全断面にわたって補剛する鋼板製のスチフナであり、その三辺を鉄骨梁３０のウェブおよび上下のフランジに溶接することにより、鉄骨梁３０の両側面に結合されている。この直立補剛板３６には、壁つなぎ連結金具４０等を取り付けるための取付孔３６１が、例示形態では上下２か所に形成されている。
【００３２】
なお、本発明の足場支持構造の重要な特徴として、これらの直立補剛板３６は、鉄骨造躯体に取り付けられる外壁パネル１０の割り付けに合わせて、いずれかの縦目地の位置と合致するように配置されている。
【００３３】
壁つなぎ連結金具４０は、軸着部材５０を介して互いに回動自在に連結された躯体側取付板６０と可動連結板７０とを具備する。躯体側取付板６０および可動連結板７０は、それぞれ連結端側の縁部が略半円形状に形成された略一様幅の帯板からなる部材で、可動連結板７０が躯体側取付板６０よりも長手寸法が大きくなるように形成されている。躯体側取付板６０と可動連結板７０とは、それぞれの連結端近傍に形成された円形の軸着孔６１、７１を重ね合わせて、そこ挿着される軸着部材５０により綴着される。
【００３４】
軸着部材５０は、図１１に示すように、各軸着孔６１、７１に内挿される円筒状のスリーブ５１と、スリーブ５１に内挿されるボルト・ナット５２と、スリーブ５１の両端にそれぞれ外挿されてボルト・ナット５２と躯体側取付板６０または可動連結板７０との接触面に介装される一対のばね座金５３と、を組み合わせて構成される。例示の形態では、ばね座金５３として、環状の薄板に波形の凹凸を形成した波形ばね座金（ウェーブワッシャー）を採用している。このようなばね座金５３を用いて構成された軸着部材５０は、ボルト・ナット５２の締結トルクを適切に設定することで、躯体側取付板６０と可動連結板７０とを、任意の角度に、かつ、手で容易に動かせる程度に仮固定できるものとなる。
【００３５】
躯体側取付板６０の基端側（長手方向における軸着部材５０の反対側）には、円形の綴着孔６２が形成されている。そして、躯体側取付板６０が、軸着部材５０の軸心を水平にした姿勢で直立補剛板３６に当てがわれ、直立補剛板３６に形成された上側の取付孔３６１にボルト・ナット４１で綴着される。この状態で、躯体側取付板６０は、外壁パネル１０の取付予定位置よりも屋内側に配置される。
【００３６】
躯体側取付板６０の長手方向における中間部には、該中間部を短手方向の山谷状に折り返してなる段部６３が形成されている。この段部６３は、躯体側取付板６０の他端側が直立補剛板３６に添設されたときに直立補剛板３６の側縁部に係合することで、躯体側取付板６０が綴着孔６２を中心に回動するのを防ぐ回り止め段部となる。同時に、この段部６３は、図１１に示すように、躯体側取付板６０に連結される可動連結板７０の板厚の中心を、直立補剛板３６の板厚の中心に合致させる作用もなす。これにより、可動連結板７０が外壁パネル１０の縦目地の位置に精度良く配置される。
【００３７】
躯体側取付板６０に連結された可動連結板７０は、軸着部材５０を支軸として外壁パネル１０の縦目地内で上下方向に回動し、横向きの状態ではその先端部（長手方向における軸着部材５０の反対側）を外壁パネル１０の取付予定位置よりも屋外側へ突出させ、下向きの状態では外壁パネル１０の取付予定位置よりも屋内側で鉄骨梁３０の側方に保持される。
【００３８】
可動連結板７０の先端部には、壁つなぎ連結ボルト７２が、軸着部材５０から離隔する向きに突設されている。壁つなぎ連結ボルト７２は、外壁パネル１０の縦目地の幅よりも細径の寸切りボルトからなり、その軸心を可動連結板７０の板厚の中心および板幅の中心と一致させるようにして、可動連結板７０の先端部に形成された長矩形の切欠き部内に溶接されている。
【００３９】
そして、図１２（a）に示すように、可動連結板７０が横向きになることによって外壁パネル１０の屋外側に突出した壁つなぎ連結ボルト７２に、屋外側からナット部材８０を介して、適宜の壁つなぎ本体９０が連結される。ナット部材８０の基端側（躯体側）には、壁つなぎ連結ボルト７２に螺合される細径の雌ねじ部（図示せず）が形成されており、この雌ねじ部が壁つなぎ連結ボルト７２に着脱自在に連結される。
【００４０】
また、ナット部材８０の先端側（足場側）には、壁つなぎ本体９０に突設されたボルト軸部９０１に螺合される太径の雌ねじ部８１が形成されており、この雌ねじ部８１に壁つなぎ本体９０のボルト軸部９０１が着脱自在に連結される。壁つなぎ本体９０の先端部には固定アーム９３２が取り付けられ、この固定アーム９３２によって足場支柱９４が把持される。こうして、足場が躯体から安定的に支持されることとなる。可動連結板７０は上下方向に角度調節できるので、足場の連結も容易になる。
【００４１】
こうして構成される足場支持構造によれば、壁つなぎ連結金具４０が外壁パネル１０の縦目地と合致するように配置されるので、外壁パネル１０の建て込みに際しては、壁つなぎ連結金具４０に足場が連結されたままの状態でも、クレーンで吊り上げた外壁パネル１０を取付予定位置の真上から垂直に下ろすことで、壁つなぎ連結金具４０に干渉することなく外壁パネル１０を位置決めすることができる。
【００４２】
そして、外壁パネル１０の建て込みが終了すれば、図１２（ｂ）に示すように、壁つなぎ本体９０およびナット部材８０を壁つなぎ連結ボルト７２から取り外し、可動連結板７０を外壁パネル１０の縦目地に隠れるように下向きに回動させる。これにより、可動連結板７０が、鉄骨梁３０と外壁パネル１０との間（外壁パネル１０の縦目地内）に収納される。その収納箇所を図面等に残しておけば、経年後の修繕工事や増改築に際して当該箇所の目地シール部材１０３を取り除き、可動連結板７０を屋外側に引き出して再度、足場の連結等に利用することができる。
【００４３】
（第２実施形態）
図１３〜図１５は、本発明の壁つなぎ連結金具と、それを利用した足場支持構造の第２実施形態を示す。この形態では、鉄骨梁３０のウェブに、あらかじめスチフナが溶接されておらず、それに代わる梁中金具３７を鉄骨梁３０に後付けして、そこに壁つなぎ連結金具４０を連結する構成を採用している。
【００４４】
梁中金具３７は、鉄骨梁３０の上下のフランジとウェブとによって囲まれた溝形の領域に、鉄骨梁３０の材軸方向と直交する姿勢で配置される直立補剛板３８と、上下のフランジに添うようにして直立補剛板３８の上下両端にそれぞれ接合された取付板部３９と、を具備しており、取付板部３９はその一部がウェブに添うように屈曲して縦向きに延び出している。そして、上下の各取付板部３９が鉄骨梁３０の上下フランジに対し、各々に形成された複数箇所の取付孔３９１、３０１同士をボルト・ナット（図示せず）で綴着することにより結合される。
【００４５】
前記第１実施形態に係る直立補剛板３６（スチフナ）と同様に、この梁中金具３７も、直立補剛板３８が外壁パネル１０の縦目地の位置と合致するように配置される。この直立補剛板３８には、壁つなぎ連結金具４０等を取り付けるための取付孔３８１が、上部１か所に形成されている。
【００４６】
壁つなぎ連結金具４０は、基本的な構成および作用において前記第１実施形態と同様であり、共通する部位・部材については共通の符号を付して説明を省く。前記第１実施形態との相違点は、躯体側取付板６０と可動連結板７０とを連結する軸着部材５０の構成と、躯体側取付板６０および可動連結板７０の形状である。
【００４７】
この形態では、軸着部材としてリベット５４が採用されている。詳細には、平坦な頭部を有する薄平リベットである。また、躯体側取付板６０および可動連結板７０の連結端近傍に形成される軸着孔６１、７１には、リベット５４の頭部の大きさに対応する座ぐり部６１１、７１１がそれぞれ形成されている。そして、それらの軸着孔６１、７１にリベット５４の軸部が挿着されてカシメられ、図１５に示すように、該挿着状態におけるリベット５４の頭部を含む全長が、躯体側取付板６０および可動連結板７０の板厚の合計と略同寸、より好ましくはそれらの板厚の合計以内、となるように形成されている。
【００４８】
さらに、この形態では、躯体側取付板６０だけでなく、可動連結板７０の長手方向における中間部にも、該可動連結板７０を短手方向の山谷状に折り返してなる段部７３が形成されている。そして、図１５に示すように、躯体側取付板６０の回り止め段部６３と可動連結板７０の段部７３とが相補的に配置されて、可動連結板７０の先端側の板厚の中心が直立補剛板３８の板厚の中心に合致している。
【００４９】
このように構成された壁つなぎ連結金具４０は、軸着部材を構成するリベット５４が外壁パネル１０の縦目地の幅に納まり得るものとなる。したがって、図１３に示すように、縦目地を挟んで隣接する外壁パネル１０の間に軸着部材（リベット５４）を配置することができるので、外壁パネル１０が鉄骨梁３０に近接して取り付けられる建物にも適用可能となる。
【００５０】
前述のように、本発明の壁つなぎ連結金具と、それを利用する足場支持構造によれば、特に鉄骨造躯体に外壁パネルを取り付ける構造の建物において、足場の組み上げ、外壁パネルの建て込み、足場の撤去等の作業を効率的に実施することができる。特に、施工初期の段階で組み上げた仮設足場を壁つなぎ連結金具に連結した状態で、外壁パネルの建て込みから目地シーリング工事まで支障なく施工できることは、本発明の足場支持構造における大きな利点となる。
【００５１】
なお、本発明の技術的範囲は、例示した実施の形態によって限定的に解釈されるべきものではなく、特許請求の範囲の記載に基づいて概念的に解釈されるべきものである。また、本発明の実施に際しては、例示形態と実質的に同様の作用効果が得られる範囲において、例えば外壁パネルの取付構造や、壁つなぎ連結金具に連結される壁つなぎ本体その他の足場構成材等を適宜、改変して実施することもできる。
【符号の説明】
【００５２】
１０  外壁パネル
１０１  中空孔
１０２  下孔
１０３  目地シール部材
２０  係合金具
２０１  長孔
２０２  フック部
２１  ボルト
２２  ナット金具
３０  鉄骨梁
３０１  取付孔
３０２  ボルト・ナット
３１  基礎
３２  持出しファスナー
３３  レール部材
３３１  リップ部
３４  軸組フレーム
３５  リップ付き溝形鋼
３６  直立補剛板
３６１  取付孔
３７  梁中金具
３８  直立補剛板
３９  取付板部
３９１  取付孔
４０  壁つなぎ連結金具
４１  ボルト・ナット
５０  軸着部材
５１  スリーブ
５２  ボルト・ナット
５３  ばね座金
５４  リベット（軸着部材）
６０  躯体側取付板
６１  軸着孔
６１１  座繰り部
６２  綴着孔
６３  段部（回り止め段部）
７０  可動連結板
７１  軸着孔
７１１  座繰り部
７２  壁つなぎ連結ボルト
８０  ナット部材
８１  雌ねじ部
９０  壁つなぎ本体
９１  屋内側取付部材
９１１  取付プレート
９１２  高ナット
９１３  綴着孔
９２  壁つなぎ部材
９２１  雄ねじ部
９２２  円筒部
９２３  雌ねじ部
９３  足場支持部材本体
９３１  雄ねじ部
９３２  固定アーム
９４  足場支柱
【図１】
2018096102.tif 000003
【図２】
2018096102.tif 000004
【図３】
2018096102.tif 000005
【図４】
2018096102.tif 000006
【図５】
2018096102.tif 000007
【図６】
2018096102.tif 000008
【図７】
2018096102.tif 000009
【図８】
2018096102.tif 000010
【図９】
2018096102.tif 000011
【図１０】
2018096102.tif 000012
【図１１】
2018096102.tif 000013
【図１２】
2018096102.tif 000014
【図１３】
2018096102.tif 000015
【図１４】
2018096102.tif 000016
【図１５】
2018096102.tif 000017
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
鉄骨造躯体に複数枚の外壁パネルを取り付けることによって外壁が形成される建物において、前記鉄骨造躯体を構成する鉄骨梁の側面に、壁つなぎ連結金具を介して足場を連結する足場支持構造であって、
前記鉄骨梁のウェブには、該鉄骨梁の材軸方向に直交する直立補剛板が、前記外壁パネルの縦目地の位置に合わせて結合され、
前記壁つなぎ連結金具は、軸着部材を介して互いに回動自在に連結された躯体側取付板と可動連結板とを具備し、
前記躯体側取付板には、該躯体側取付板を前記鉄骨梁のウェブに結合された直立補剛板にボルト・ナットで添設するための綴着孔が形成され、
前記躯体側取付板が、前記軸着部材の軸心を水平にした姿勢で前記直立補剛板に添設されて、前記鉄骨梁と前記外壁パネルとの間に配置され、
前記可動連結板が、前記軸着部材を支軸として上下方向に回動し、横向きの状態では該可動連結板の先端部が前記外壁パネルの縦目地から屋外側へ突出するように配置され、
前記可動連結板の先端部には、前記外壁パネルの縦目地の幅よりも細径の壁つなぎ連結ボルトが、その軸心を前記可動連結板の板厚中心と一致させるようにして前記軸着部材から離隔する向きに突設され、
前記壁つなぎ連結ボルトに、前記外壁パネルの屋外側からナット部材が着脱自在に連結され、
前記ナット部材に、足場支柱を支持し得る適宜の壁つなぎ本体が着脱自在に連結された
ことを特徴とする足場支持構造。
【請求項２】
請求項１に記載された足場支持構造において、
前記可動連結板は、前記壁つなぎ連結ボルトに前記ナット部材が連結されていない状態で下向きに回動したとき、鉄骨梁と外壁パネルとの間、または外壁パネルの縦目地内に収納される
ことを特徴とする足場支持構造。
【請求項３】
請求項１または２に記載された足場支持構造において、
前記躯体側取付板には、前記直立補剛板に添設された状態で前記直立補剛板の側縁部に係合する回り止め段部が形成されており、
前記躯体側取付板が、前記直立補剛板に一組のボルト・ナットによって添設される
ことを特徴とする足場支持構造。
【請求項４】
請求項１〜３のいずれか一項に記載された足場支持構造において、
前記軸着部材は、前記躯体側取付板および前記可動連結板にそれぞれ形成された軸着孔に内挿されるスリーブと、該スリーブに内挿されて綴着されるボルト・ナットと、該スリーブの両端にそれぞれ外挿されて前記ボルト・ナットと前記躯体側取付板または前記可動連結板との接触面に介装される一対のばね座金と、によって構成された、
ことを特徴とする足場支持構造。
【請求項５】
請求項１〜３のいずれか一項に記載された足場支持構造において、
前記軸着部材は、前記躯体側取付板および前記可動連結板にそれぞれ形成された軸着孔に挿着されるリベットによって構成され、
該挿着状態におけるリベットの全長が、外壁パネルの縦目地の幅を超えないように形成されて、
前記リベットが縦目地を挟んで隣接する外壁パネルの間に配置された
ことを特徴とする足場支持構造。
【手続補正３】
【補正対象書類名】明細書
【補正対象項目名】０００１
【補正方法】変更
【補正の内容】
【０００１】
本発明は、鉄骨造建物の建築工事や修繕補修工事に際して、該建物の躯体に外部足場を連結するための足場支持構造に関する。
【手続補正４】
【補正対象書類名】明細書
【補正対象項目名】００１６
【補正方法】変更
【補正の内容】
【００１６】
本発明は、かかる事情に鑑みてなされたもので、外壁パネルを所定の取付位置に建て込む際に、その作業の邪魔になりにくく、また、外壁パネルを躯体に近接させて取り付ける外壁構造にも適用可能な壁つなぎ連結金具を利用した足場支持構造を提供することを目的としている。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
前述の目的を達成するために本発明が採用した足場支持構造の構成は、鉄骨造躯体に複数枚の外壁パネルを取り付けることによって外壁が形成される建物において、前記鉄骨造躯体を構成する鉄骨梁の側面に、壁つなぎ連結金具を介して足場を連結する足場支持構造であって、前記鉄骨梁のウェブには、該鉄骨梁の材軸方向に直交する直立補剛板が、前記外壁パネルの縦目地の位置に合わせて結合され、前記壁つなぎ連結金具は、軸着部材を介して互いに回動自在に連結された躯体側取付板と可動連結板とを具備し、前記躯体側取付板には、該躯体側取付板を前記鉄骨梁のウェブに結合された直立補剛板にボルト・ナットで添設するための綴着孔が形成され、前記躯体側取付板が、前記軸着部材の軸心を水平にした姿勢で前記直立補剛板に添設されて、前記鉄骨梁と前記外壁パネルとの間に配置され、前記可動連結板が、前記軸着部材を支軸として上下方向に回動し、横向きの状態では該可動連結板の先端部が前記外壁パネルの縦目地から屋外側へ突出するように配置され、前記可動連結板の先端部には、前記外壁パネルの縦目地の幅よりも細径の壁つなぎ連結ボルトが、その軸心を前記可動連結板の板厚中心と一致させるようにして前記軸着部材から離隔する向きに突設され、前記壁つなぎ連結ボルトに、前記外壁パネルの屋外側からナット部材が着脱自在に連結され、前記ナット部材に、足場支柱を支持し得る適宜の壁つなぎ本体が着脱自在に連結された、ものとして特徴づけられる。
【手続補正７】
【補正対象書類名】明細書
【補正対象項目名】００１９
【補正方法】変更
【補正の内容】
【００１９】
この発明の要部を構成する壁つなぎ連結金具は、鉄骨梁のウェブの側面、つまり鉄骨梁の上下フランジの間に、外壁パネルの縦目地の位置に合わせて、縦目地の幅に納まるように取り付けることができる。したがって、外壁パネルを吊り下ろして所定の取付位置に建て込む際に、外壁パネルと壁つなぎ連結金具との干渉を避けて、外壁パネルを効率よく位置決めすることができる。
【手続補正８】
【補正対象書類名】明細書
【補正対象項目名】００２２
【補正方法】変更
【補正の内容】
【００２２】
また、本発明は、前記壁つなぎ連結金具の前記躯体側取付板には、前記直立補剛板に添設された状態で前記直立補剛板の側縁部に係合する回り止め段部が形成されており、前記躯体側取付板が、前記直立補剛板に一組のボルト・ナットによって添設される、との構成を採用する。この構成によれば、一組のボルト・ナットだけで躯体側取付板の姿勢が確実に拘束され、躯体側取付板が可動連結板の回動に伴って揺動することが規制される。
【手続補正９】
【補正対象書類名】明細書
【補正対象項目名】００２４
【補正方法】変更
【補正の内容】
【００２４】
また、本発明は、前記壁つなぎ連結金具に関して、前記軸着部材が、前記躯体側取付板および前記可動連結板にそれぞれ形成された軸着孔に挿着されるリベットによって構成され、該挿着状態におけるリベットの全長が、外壁パネルの縦目地の幅を超えないように形成されているものとすることができる。この構成によれば、縦目地を挟んで隣接する外壁パネルの間に前記リベットを配置することができるので、外壁パネルが鉄骨梁に近接して取り付けられる建物においても、本発明の足場支持構造を適用することが可能になる。
【手続補正１０】
【補正対象書類名】明細書
【補正対象項目名】００２５
【補正方法】変更
【補正の内容】
【００２５】
前述のように構成される壁つなぎ連結金具は、鉄骨造躯体を構成する鉄骨梁に、外壁パネルの縦目地の位置に合わせて、縦目地の幅に納まるように取り付けることができる。したがって、この壁つなぎ連結金具を用いた足場支持構造によれば、外壁パネルを吊り下ろして所定の取付位置に建て込む際に、外壁パネルが壁つなぎ連結金具に干渉するのを避けながら、外壁パネルを効率よく位置決めすることができる。
【手続補正１１】
【補正対象書類名】明細書
【補正対象項目名】００２６
【補正方法】変更
【補正の内容】
【００２６】
また、壁つなぎ連結金具は、鉄骨梁のウェブに結合された直立補剛板に取り付けられるように構成されているので、この壁つなぎ連結金具を用いた足場支持構造によれば、鉄骨梁の側方への張り出し寸法を小さくすることができる。したがって、外壁パネルが躯体に近接して取り付けられる建物にも好適に採用することができる。
【手続補正１２】
【補正対象書類名】明細書
【補正対象項目名】００２８
【補正方法】変更
【補正の内容】
【００２８】
さらに、壁つなぎ連結金具を外壁パネルの縦目地の位置に合わせて鉄骨梁に取り付けた本発明の足場支持構造によれば、前記ナット部材を連結していない状態の可動連結板を下向きに回動させて、鉄骨梁と外壁パネルとの間、または外壁パネルの縦目地内に収納することができる。これにより、工事終了後の足場の撤去作業が容易になるとともに、経年後の修繕工事や増改築に際して、縦目地の間から可動連結板を引き出し、再度、足場を連結するために利用することもできる。
【手続補正１３】
【補正対象書類名】明細書
【補正対象項目名】００３０
【補正方法】変更
【補正の内容】
【００３０】
以下、本発明の実施形態について、図面を参照しつつ説明する。本発明の足場支持構造は、主として図１〜図６に示したような、鉄骨造躯体に複数枚の外壁パネルを取り付ける建物に適用することを想定したものである。以下、本発明が適用される建物の躯体、外壁パネル、足場等に関し、背景技術欄で説明したものと実質的に同等の部位・部材については前記と共通の符号を付して、それらの詳細な説明は省略する。
【手続補正１４】
【補正対象書類名】明細書
【補正対象項目名】００３１
【補正方法】変更
【補正の内容】
【００３１】
（第１実施形態）
図９〜図１２は、本発明の要部を構成する壁つなぎ連結金具と、それを利用した足場支持構造の第１実施形態を示す。壁つなぎ連結金具４０は、鉄骨造躯体を構成する鉄骨梁３０のウェブの側面に取り付けられる。そのため、鉄骨梁３０のウェブには、あらかじめ鉄骨梁３０の材軸方向に直交する直立補剛板３６が結合されている。図中に示す直立補剛板３６は、Ｈ形鋼からなる鉄骨梁３０を略全断面にわたって補剛する鋼板製のスチフナであり、その三辺を鉄骨梁３０のウェブおよび上下のフランジに溶接することにより、鉄骨梁３０の両側面に結合されている。この直立補剛板３６には、壁つなぎ連結金具４０等を取り付けるための取付孔３６１が、例示形態では上下２か所に形成されている。
【手続補正１５】
【補正対象書類名】明細書
【補正対象項目名】００４３
【補正方法】変更
【補正の内容】
【００４３】
（第２実施形態）
図１３〜図１５は、本発明の足場支持構造の第２実施形態を示す。この形態では、鉄骨梁３０のウェブに、あらかじめスチフナが溶接されておらず、それに代わる梁中金具３７を鉄骨梁３０に後付けして、そこに壁つなぎ連結金具４０を連結する構成を採用している。
【手続補正１６】
【補正対象書類名】明細書
【補正対象項目名】００５０
【補正方法】変更
【補正の内容】
【００５０】
前述のように、本発明の足場支持構造によれば、特に鉄骨造躯体に外壁パネルを取り付ける構造の建物において、足場の組み上げ、外壁パネルの建て込み、足場の撤去等の作業を効率的に実施することができる。特に、施工初期の段階で組み上げた仮設足場を壁つなぎ連結金具に連結した状態で、外壁パネルの建て込みから目地シーリング工事まで支障なく施工できることは、本発明の足場支持構造における大きな利点となる。